(57)【特許請求の範囲】
【請求項１】
玉保有量の多い設置島から玉保有量の少ない設置島へ玉を移送するための上部タンクと管とを備えたパチンコ遊技機の設置島において、
上部タンクの両側面の上部に、対向する設置島からの玉を受けるための玉受け部を設け、
各玉受け部の下方には、上部タンク内の玉を揚送するための玉揚送機を設置したうえに、
前記玉揚送機には上部タンクの上端まで立ち上がる管を連設して、この管を、隣接する設置島から架け渡された管の上段側又は下段側として隣接する設置島まで架け渡して、
上段側の管から玉を玉受け部に受け入れる設置島と、下段側の管から玉を玉受け部に受け入れる設置島とを、隣接させて配置したことを特徴とするパチンコ遊技機の設置島。
【請求項２】
上段側の管と下段側の管とをそれぞれ複数本として、これらの管をカバー枠内に一束にまとめて収納したことを特徴とする請求項１に記載のパチンコ遊技機の設置島。
【請求項３】
管がフレキシブル管である請求項１又は２に記載のパチンコ遊技機の設置島。
【請求項４】
玉揚送機が外周部に多数の玉受け用凹部を備えたスプロケット式のものである請求項１に記載のパチンコ遊技機の設置島。
【請求項５】
玉揚送機が回転ローラの外周面で玉を圧送する圧送式のものである請求項１に記載のパチンコ遊技機の設置島。
【発明の詳細な説明】
【０００１】
【発明の属する技術分野】
本発明は、玉保有量を常時平均化するための移送装置を備えたパチンコ遊技機の設置島に関するものである。
【０００２】
【従来の技術】
従来よりパチンコ遊技機の設置島は、全ての設置島内の玉保有量を常時平均化するために、それぞれの設置島間に渡りと呼ばれる移送装置を架け渡し、玉保有量の多い設置島から少ない設置島に玉を移送するように構成されている。その代表的な一例が特開平７−１４８３３４号公報に記載されている。
【０００３】
図９はこの公報に記載されたような従来の設置島間の移送装置を示すものである。図示のとおり、従来は各設置島５１の上部間にコンベヤ式の移送装置５２を架け渡し、モータ５３により隣接する設置島５１の上部タンク５４に玉を移送できるようになっている。なおこのコンベヤ式の移送装置５２は逆方向にも玉を移送できるように、２列に設置されている。
【０００４】
ところがこのような従来の構造では、コンベヤ式の移送装置５２の上方から玉を落とし込むように供給しなければならないため、移送装置５２の設置高さをあまり高くすることができない。しかも駆動用のモータ５３が移送装置５２と一体に形成された構造であるため、移送装置５２の取り付け位置は特定位置に制限される。その結果、各設置島５１の上部間の比較的低い位置に移送装置５２が多数配置されることが避けられず、パチンコホールの館内全体における見栄えを大いに損なわす要因となっていた。
【０００５】
【発明が解決しようとする課題】
本発明は上記した従来の問題点を解決し、パチンコホールの館内の見栄えを向上させることができ、しかも従来と同様に玉保有量の多い設置島から少ない設置島に確実に玉を移送できる機能を備えたパチンコ遊技機の設置島を提供するためになされたものである。
【０００６】
【課題を解決するための手段】
上記の課題を解決するためになされた本発明は、
玉保有量の多い設置島から玉保有量の少ない設置島へ玉を移送するための上部タンクと管とを備えたパチンコ遊技機の設置島において、
上部タンクの両側面の上部に、対向する設置島からの玉を受けるための玉受け部を設け、
各玉受け部の下方には、上部タンク内の玉を揚送するための玉揚送機を設置したうえに、
前記玉揚送機には上部タンクの上端まで立ち上がる管を連設して、この管を、隣接する設置島から架け渡された管の上段側又は下段側として隣接する設置島まで架け渡して、
上段側の管から玉を玉受け部に受け入れる設置島と、下段側の管から玉を玉受け部に受け入れる設置島とを、隣接させて配置したことを特徴とするものである。
なお、上段側の管と下段側の管とをそれぞれ複数本として、これらの管をカバー枠内に一束にまとめて収納することができる。これらの管としてはフレキシブル管を用いることができる。また玉揚送機としては、外周部に多数の玉受け用凹部を備えたスプロケット式のものや、回転ローラの外周面で玉を圧送する圧送式のものを用いることができる。
【０００７】
本発明によれば、上部タンク内の玉をスプロケット式や圧送式の揚送機により揚送し、管を通じて隣接する設置島の上部タンクまで玉を移送することができる。このため従来のコンベヤ式の移送装置とは異なり、管の高さは任意に設定することができ、この管を収納するために設置島間に架け渡された移送装置も従来よりも高い位置とすることができる。また場合によっては、移送装置を天井裏に設置することも可能である。従って移送装置を目立たなくすることができ、パチンコホールの館内の見栄えを良くすることができる。
【０００８】
【発明の実施の形態】
以下に本発明の好ましい実施形態を示す。
図１は本発明の設置島の全体を示す斜視図であり、１は複数台のパチンコ遊技機を一定間隔で配置した設置島であり、パチンコホール内に所定間隔で配置されている。また２は、隣接する設置島１、１間の上部に架け渡された移送装置である。
【０００９】
図２に示すように、各設置島１の上部には上部タンク３が設けられており、その両側から傾斜させた玉供給樋４を介して島内の各パチンコ遊技機及び玉貸し機に玉を供給している。また各パチンコ遊技機からの回収玉は玉回収樋５によって腰下部に集められ、図示しない玉研磨装置や異物除去装置を経由したうえ、玉揚送機構６によって上部タンク３の上端まで揚送されている。このほか、各設置島１の腰下部には図示しない玉プールタンクが設置されており、多量の玉を保有している。しかし特定の設置島１に出玉が集中したような場合には、その設置島１内の玉保有量が少なくなるため、隣接する設置島１から玉を移送することにより、各設置島１の玉保有量を常時平均化する必要がある。
【００１０】
このために本発明では、図３、図４に示すように各設置島１の上部に上部タンク３を設置するとともに、その近傍に一対の玉揚送機７を設置してある。この実施形態では、玉揚送機７は図５に示すように外周部に多数の玉受け用凹部８を備えたスプロケット９を本体の内部に収納したスプロケット式のものであり、このスプロケット９をモータにより矢印方向に回転させることによって、玉を揚送できるものである。玉は本体の上部に連接されたフレキシブル管１０等の管の内部を一列になって揚送されていく。移送能力を高めるために、スプロケット９及びフレキシブル管１０は複数個並列に設けられている。なお、図６に示すように上部タンク３の側面には玉供給部１１が突設されており、上部タンク３内の玉を玉揚送機７に供給できるようになっている。
【００１１】
図３に示すように、玉揚送機７の上部に連接されたフレキシブル管１０は上部タンク３の上端まで立ち上がり、各設置島１、１間に架け渡された移送装置２を通って隣接する設置島１の上部タンク３にまで延びている。上部タンク３には玉受け部１２が形成されており、隣接する設置島１からフレキシブル管１０の内部を通って移送されてきた玉を受け、上部タンク３に収納する。
【００１２】
図３に示すように、隣接する設置島１、１間に架け渡された移送装置２は、両方向に玉を移送できるように２系統のフレキシブル管１０を備えている。前記したように、各系統のフレキシブル管１０は並列な複数本からなる。図７に示すように、移送装置２の樋状のカバー枠１３内に２系統のフレキシブル管１０を上下２段に配置し、一束にまとめて収納しておくことが好ましい。
【００１３】
このように構成された本発明では、設置島１内の玉保有量が減少した場合には、隣接する設置島１の玉揚送機７を動かし、隣接する設置島１の上部タンク３内の玉をフレキシブル管１０を通じて玉保有量が減少した設置島１の上部タンク３に移送することができる。このような玉の移送は玉揚送機７に連接されたフレキシブル管１０を通じて行われるため、フレキシブル管１０の設置高さは自由に設定することができる。従来のコンベヤ式の移送装置は上部タンクよりも低い位置に設置せざるを得なかったのであるが、本発明ではフレキシブル管１０を収納するための移送装置２を従来よりも高い位置とすることができ、天井裏に設置することさえも可能である。従って本発明によれば移送装置２が目立たなくなり、パチンコホールの館内の見栄えを良くすることができる。なお上部タンク３に入った玉は従来と同様に、玉供給樋４を介して島内の各パチンコ遊技機等に供給される。
【００１４】
上記の実施形態では、玉揚送機７としてスプロケット式のものを用いたが、図８に示すような圧送式の玉揚送機４を用いることもできる。この形式の玉揚送機７は、回転ローラ１４の外周面で玉を圧送し、フレキシブル管１０等の管を通じて他の設置島まで玉を移送するものである。回転ローラ１４としては弾性のある合成ゴム等が適しており、樹脂製の円弧状のガイド１５に沿って玉を圧送することができる。
【００１５】
【発明の効果】
以上に説明したように、本発明によれば玉揚送機を利用し、管を通じて設置島間の玉の移送を行うようにしたので、パチンコホールの館内の見栄えを向上させることができ、しかも従来と同様に玉保有量の多い設置島から少ない設置島に確実に玉を移送し、各設置島の玉保有量を常時平均化することができる利点がある。
【図面の簡単な説明】
【図１】本発明の設置島の全体を示す斜視図である。
【図２】設置島の側面図である。
【図３】要部の断面図である。
【図４】要部の平面図である。
【図５】スプロケット式の揚送機の断面図である。
【図６】上部タンクの側面図である。
【図７】移送装置の斜視図である。
【図８】圧送式の揚送機の断面図である。
【図９】従来例を示す断面図である。
【符号の説明】
１  設置島
２  移送装置
３  上部タンク
４  玉供給樋
５  玉回収樋
６  玉揚送機構
７  玉揚送機
８  玉受け用凹部
９  スプロケット
１０  フレキシブル管
１１  玉供給部
１２  玉受け部
１３  カバー枠
１４  回転ローラ
１５  円弧状のガイド
５１  従来の設置島
５２  コンベヤ式の移送装置
５３  モータ
５４  上部タンク
【図１】
0003925827.tif 000002
【図２】
0003925827.tif 000003
【図３】
0003925827.tif 000004
【図４】
0003925827.tif 000005
【図５】
0003925827.tif 000006
【図６】
0003925827.tif 000007
【図７】
0003925827.tif 000008
【図８】
0003925827.tif 000009
【図９】
0003925827.tif 000010